(57)【要約】【課題】シャーシ部分に構造上の新たな工夫を加えることなく、位置決め部材自体を工夫することで、外部からの衝撃による部品の破損、特に位置決め部材の破損を防止する。【解決手段】内部に開口部２１を有するローダーシャーシ２０と、このローダーシャーシ２０の開口部２１に配置されたトラバースシャーシ３０とを備え、ローダーシャーシ２０の開口部２１の縁部に、下方に突出した突起部１２を有する位置決め部材１０が形成され、トラバースシャーシ３０の外縁部に、突起部１２が挿入可能な嵌合穴３１が形成され、嵌合穴３１に突起部１２が挿入されることにより、ローダーシャーシ２０に対するトラバースシャーシ３０の前後方向及びこれに直交する左右方向の位置規制が行われるように構成されたディスク装置において、位置決め部材１０が樹脂によって形成されているとともに、突起部１２の付け根部分が樹脂の弾力性によって一定の撓み力を有する構造とされている。【選択図】図２
2008171464.tif 000002
【特許請求の範囲】
【請求項１】
ディスク載置用トレイを前後進可能に支持するローダーシャーシと、このローダーシャーシの内部に形成された開口部に配置され、光ピックアップを前後進可能に支持するトラバースシャーシとを備え、前記トラバースシャーシの後ろ側の左右の隅部がダンパーを介して前記ローダーシャーシに回動可能に連結され、前記トラバースシャーシの前部側が前記連結部を回動中心として上下動可能に設けられ、前記ローダーシャーシの開口部の縁部に、下方に突出した突起部を有する位置決め部材が形成され、前記トラバースシャーシの外縁部に、前記突起部が挿入可能な嵌合穴が形成され、前記嵌合穴に前記突起部が挿入されることにより、前記ローダーシャーシに対する前記トラバースシャーシの前後方向及びこれに直交する左右方向の位置規制が行われるように構成されたディスク装置において、
前記位置決め部材が樹脂によって形成されているとともに、前記突起部の付け根部分が樹脂の弾力性によって一定の撓み力を有する構造とされていることを特徴とするディスク装置。
【請求項２】
内部に開口部を有するローダーシャーシと、このローダーシャーシの開口部に配置されたトラバースシャーシとを備え、前記トラバースシャーシの後ろ側の左右の隅部がダンパーを介して前記ローダーシャーシに回動可能に連結され、前記トラバースシャーシの前部側が前記連結部を回動中心として上下動可能に設けられ、前記ローダーシャーシの開口部の縁部に、下方に突出した突起部を有する位置決め部材が形成され、前記トラバースシャーシの外縁部に、前記突起部が挿入可能な嵌合穴が形成され、前記嵌合穴に前記突起部が挿入されることにより、前記ローダーシャーシに対する前記トラバースシャーシの前後方向及びこれに直交する左右方向の位置規制が行われるように構成されたディスク装置において、
前記位置決め部材が樹脂によって形成されているとともに、前記突起部の付け根部分が樹脂の弾力性によって一定の撓み力を有する構造とされていることを特徴とするディスク装置。
【請求項３】
前記位置決め部材は、前記ローダーシャーシの開口部の縁部から水平に延設された平板状の支持部と、この支持部の先端部に形成された前記突起部とからなり、前記支持部が一定の撓み力を有する構造とされていることを特徴とする請求項２に記載のディスク装置。
ディスク装置。
【請求項４】
前記ローダーシャーシは、ディスク載置用トレイを前後進可能に支持し、前記トラバースシャーシは、光ピックアップを前後進可能に支持するものであることを特徴とする請求項２または請求項３に記載のディスク装置。
【発明の詳細な説明】
【技術分野】
【０００１】
本発明は、ＤＶＤ（Digital Versatile Disk）レコーダやＣＤ（Compact Disc）レコーダ等のディスク装置に係り、より詳細には、外部からの衝撃による部品の破損を防止し得るディスク装置に関する。
【背景技術】
【０００２】
ＤＶＤ等の光ディスク（以下、単に「ディスク」という。）に対してデータの記録と再生とを行うディスク装置では、ディスク載置用トレイを前後進可能に支持するローダーシャーシと、このローダーシャーシの内部に形成された開口部に配置され、光ピックアップを前後進可能に支持するトラバースシャーシとを備えている。
【０００３】
そして、トラバースシャーシの後ろ側（装置本体の正面から見て奥側）の左右の隅部が、振動防止用のダンパーを介してローダーシャーシに回動可能に連結され、トラバースシャーシの前部側（装置本体の正面から見て手前側）が前記連結部を回動中心として上下動可能に設けられたシャーシ構造となっている。
【０００４】
また、ローダーシャーシの開口部の縁部に、下方に突出した突起部を有する位置決め部材が形成され、トラバースシャーシの外縁部に、前記突起部が挿入可能な嵌合穴が形成されており、この嵌合穴に突起部が挿入されることで、ローダーシャーシに対するトラバースシャーシの前後方向（Ｙ軸方向）及びこれに直交する左右方向（Ｘ軸方向）の位置規制が行われるようになっている。
【０００５】
図７及び図８は、このような位置決め部材の形状を示しており、図７はローダーシャーシに設けられた位置決め部材をローダーシャーシの底面側から見た図、図８は位置決め部材の斜視図である。
【０００６】
この位置決め部材１００は、ＡＢＳやＰＰ等の樹脂によって形成されており、ローダーシャーシ２００の前部側の右隅部（ただし、図７の底面側から見た場合）に設けられている。すなわち、位置決め部材１００は、ローダーシャーシ２００の開口部２１０の縁部から水平に延設された平板状の支持部１１０と、この支持部１１０の先端部に形成された突起部１２０とからなっている。
【０００７】
より具体的に説明すると、支持部１１０は、平面視略Ｌ字形状に形成されており、その一方の片である固定片１１１の外側の２辺が、ローダーシャーシ２００の開口部２１０を形成する横フレーム２２０と縦フレーム２３０とにそれぞれ接合固定されている。そして、この固定片１１１から横方向に延設された支持片１１２の先端部に、突起部１２０が形成されている。この突起部１２０は、図７及び図８では上方に突出しているが、これらはいずれも底面から見た図であるので、実際の装置内部では、下側に突出している。
【０００８】
このような形状において、支持部１１０には、図中Ｘ軸及びＹ軸の２軸方向の位置規制としての強度を保持するためのリブ片１３０が形成されている。このリブ片１３０は、固定片１１１の内側縁部に沿って形成された第１リブ片１３１と、この第１リブ片１３１の先端部から支持片１１２の内側縁部に沿って前記突起部１２０の手前まで形成された第２リブ片１３２と、この第２リブ片１３２の先端部から前記突起部１２０に沿って並行に形成された第３リブ片１３３と、この第３リブ片１３３の先端部から支持片１１２の外側縁部に沿って前記縦フレーム２３０まで形成された第４リブ片１３４とで構成されている。すなわち、このような第１ないし第４リブ片１３１〜１３４を形成することで、位置決め部材１００に十分な強度（剛性）を持たせた構造としている。因みに、図７中に二点鎖線で示した部材はトラバースシャーシ３００であり、図中の符号３１０は、トラバースシャーシ３００に形成された嵌合穴である。
【０００９】
ところで、このようなシャーシ構造のディスク装置に強い衝撃が加わったとき（例えば、ディスク装置を落としたり、持ち運び時に壁などにぶつける等）、その衝撃の度合いが小さい場合には、ダンパーの弾性力によってその衝撃を吸収できるが、衝撃の度合いが大きい場合には、その衝撃をダンパーで十分には吸収しきれず、ローダーシャーシ２００に対してトラバースシャーシ３００が許容範囲を超えて大きくずれる（振動する）ことになる。そして、トラバースシャーシ３００がこのように大きくずれると、ローダーシャーシ２００に形成された位置決め部材１００の突起部１２０がトラバースシャーシ３００の嵌合穴３１０の側壁にぶつかり、突起部１２０を破損してしまうといった問題が生じていた。
【００１０】
そこで、このような問題を解決する一つの手法として、特許文献１に記載されているディスク装置の技術を適用することが考えられる。
【００１１】
特許文献１のディスク装置では、トラバースシャーシは、回動のための互いに同軸の一対の回動軸を有しており、メインシャーシは、一対の回動軸をそれぞれ支持する一対の支持部を有している。そして、支持部は、搬送手段によるディスク媒体の搬送方向に対して略平行な方向に回動軸を挿入するための開口を有する構造となっている。このような構造とすれば、各支持部への回動軸の挿入方向が、ディスク媒体の搬送方向と略平行な方向であるため、落下等により最も強い衝撃を受ける方向（ディスク媒体の搬送方向と略直交する方向）には各回動軸の着脱のための開口を設ける必要がなくなり、この開口を介した回動軸の脱落を抑制することができる。
【特許文献１】特開２００４−２０６８７５号公報
【発明の開示】
【発明が解決しようとする課題】
【００１２】
上記特許文献１に記載の技術では、落下等による強い衝撃に対して、ディスク装置からのトラバースユニットの脱落を抑制することができる。しかし、上記した位置決め部材１００は、ローダーシャーシ２００に対するトラバースシャーシ３００の前後進方向（すなわち、上記特許文献１のディスク媒体の搬送方向であるＹ軸方向）及びこれに直交する左右方向（Ｘ軸方向）の２軸方向の位置規制であるため、突起部１２０は、ディスク載置用トレイの前後進方向（上記特許文献１の搬送方向）に対して垂直方向に形成されている。そのため、特許文献１の技術を適用したとしても、落下等の強い衝撃に対して、突起部１２０が嵌合部３１０の側壁に激しく衝突するため、破損する可能性が依然として高いことに変わりはない。
【００１３】
本発明はかかる問題点を解決すべく創案されたもので、その目的は、シャーシ部分に上記特許文献１のような構造上の新たな工夫を加えることなく、位置決め部材自体を工夫することで、外部からの衝撃による部品の破損、特に位置決め部材の破損を防止し得るディスク装置を提供することにある。
【課題を解決するための手段】
【００１４】
上記課題を解決するため、本発明のディスク装置は、ディスク載置用トレイを前後進可能に支持するローダーシャーシと、このローダーシャーシの内部に形成された開口部に配置され、光ピックアップを前後進可能に支持するトラバースシャーシとを備え、前記トラバースシャーシの後ろ側の左右の隅部がダンパーを介して前記ローダーシャーシに回動可能に連結され、前記トラバースシャーシの前部側が前記連結部を回動中心として上下動可能に設けられ、前記ローダーシャーシの開口部の縁部に、下方に突出した突起部を有する位置決め部材が形成され、前記トラバースシャーシの外縁部に、前記突起部が挿入可能な嵌合穴が形成され、前記嵌合穴に前記突起部が挿入されることにより、前記ローダーシャーシに対する前記トラバースシャーシの前後方向及びこれに直交する左右方向の位置規制が行われるように構成されたディスク装置において、前記位置決め部材が樹脂によって形成されているとともに、前記突起部の付け根部分が樹脂の弾力性によって一定の撓み力を有する構造とされていることを特徴としている。
【００１５】
より具体的には、前記位置決め部材は、前記ローダーシャーシの開口部の縁部から水平に延設された平板状の支持部と、この支持部の先端部に形成された前記突起部とからなり、前記支持部が一定の撓み力を有する構造とされている。
【００１６】
すなわち、位置決め部材は、ディスクへの記録時や再生時に、スピンドルモータやターンテーブル等の高速回転による振動によって、ローダーシャーシに対するトラバースシャーシが、前後方向（Ｙ軸方向）及びこれに直交する左右方向（Ｘ軸方向）に許容範囲以上にずれないように規制する位置規制としての機能を十分に果たす一方で、強い衝撃によりトラバースシャーシがローダーシャーシに対してＸ軸方向またはＹ軸方向に瞬間的に大きくずれた場合でも、そのずれによって位置決め部材の突起部が嵌合穴の側壁に衝突して破損しないだけの柔軟性（一定の撓み力）を持たせる必要がある。そこで、本発明では、位置規制としての強度を保持するために、従来から支持部１００に設けられているリブ片１３０（図７及び図８参照）に着目し、このリブ片１３０を必要最小限まで削減することで、樹脂自体が本来持っている弾力性（バネ性）を有効に作用させ、これにより、上記の位置規制と柔軟性の両方を実現したものである。
【発明の効果】
【００１７】
本発明のディスク装置によれば、位置決め部材を樹脂によって形成するとともに、突起部の付け根部分周辺を樹脂自体の弾力性によって一定の撓み力を有する構造としている。これにより、位置規制としての強度を保持しつつ、外部からの強い衝撃に対しては、樹脂自体が本来持っている弾力性（バネ性）を有効に作用させ、突起部が嵌合穴の側壁に衝突しても樹脂自体のバネ性により突起部が変位することで、位置決め部材の破損、すなわち突起部の破損を防止することができる。
【発明を実施するための最良の形態】
【００１８】
以下、本発明の実施の形態について、図面を参照して説明する。
【００１９】
図１は、本実施形態のディスク装置に搭載されているシャーシ構造を示す概略平面図、図２は同シャーシ構造の概略底面図、図３は、位置決め部材の周辺部をローダーシャーシの底面側から見た図、図４は、位置決め部材自体の斜視図、図５は、ディスク装置の概略断面図である。
【００２０】
本実施形態のディスク装置は、ディスク載置用トレイ５０（図５参照）をＹ軸方向に前後進ｅ，ｆ可能に支持するローダーシャーシ２０と、このローダーシャーシ２０の内部に形成された開口部２１に配置され、光ピックアップ６０（図５参照）を前後進ｅ，ｆ可能に支持するトラバースシャーシ３０とを備えている。ここで、トラバースシャーシ３０の外周部とローダーシャーシ２０の開口部２１との隙間幅は、０．５ｍｍ程度となっている。なお、ローダーシャーシ２０やトラバースシャーシ３０には、ディスク装置としての各種部品等の取り付け部や、各種部品を逃がすための開口部等が種々形成されているが、本実施形態では、図面を見易くするために、図１及び図２ではそのような詳細な形状等の図示を省略している。
【００２１】
そして、トラバースシャーシ３０の後ろ側（装置本体の正面から見て奥側）の左右の２箇所が、振動防止用の円筒形状のダンパー４０を介してローダーシャーシ２０に回動可能に連結（連結部を符号４１により示す）され、トラバースシャーシ３０の前部側（装置本体の正面から見て手前側）が、これら２箇所の連結部４１，４１を回動中心として上下動ｈ，ｉ（図５参照）可能に設けられた構造となっている。
【００２２】
また、トラバースシャーシ３０の前側中央部には、前方に突出した支持軸３５によって円筒形状のダンパー４６が支持固定されており、このダンパー４６は、ローダーシャーシ２０の開口部２１を形成する前フレーム２２の対向する内面側に形成された縦方向の摺動溝部２５に嵌まり合うようになっている。すなわち、トラバースシャーシ３０は、基本的に、後ろ側の左右２箇所に設けられたダンパー４０，４０を介した２箇所の連結部４１，４１と、摺動溝部２５に嵌まり合う前側ダンパー４６の摺動嵌合による支持との３点支持構造となっている。なお、このような支持構造は、従来周知の構造であるので、ここではこれ以上の詳細な説明を省略する。
【００２３】
上記のような支持構造において、ローダーシャーシ２０の前部側の右隅部（ただし、図
２の底面側から見た場合）には、ＡＢＳやＰＰ等の樹脂部材にて形成された位置決め部材１０が設けられている。位置決め部材１０は、ディスクへの記録時や再生時に、スピンドルモータ９０やターンテーブル８０等（図５参照）の高速回転による振動によって、ローダーシャーシ２０に対するトラバースシャーシ３０が、前後進ｅ，ｆ方向（Ｙ軸方向）及びこれに直交する左右方向（Ｘ軸方向）に許容範囲以上にずれないように規制する位置規制としての機能を果たすものである。
【００２４】
この位置決め部材１０は、図３及び図４に示すように、ローダーシャーシ２０の開口部２１の縁部から水平に延設された平板状の支持部１１と、この支持部１１の先端部に形成された突起部１２とからなっている。
【００２５】
より具体的に説明すると、支持部１１は、平面視略Ｌ字形状に形成されており、その一方の片である固定片１１ａの外側の２辺が、ローダーシャーシ２０の開口部２１を形成する横フレーム２２と縦フレーム２３とにそれぞれ接合固定されている。そして、この固定片１１ａから横方向に延設された支持片１１ｂの先端部に、突起部１２が形成されている。この突起部１２は、図３及び図４では上方に突出しているが、これらはいずれも底面から見た図であるので、実際の装置内部では、図１に示すように、下向きに突出することになる。
【００２６】
ここで、上記構成のディスク装置の動作について、図５を参照して説明する。
【００２７】
すなわち、トラバースシャーシ３０は、ディスク載置用トレイ５０が装置本体の正面から引き出された状態（図５（ａ）の状態）であるときには、ディスク載置用トレイ５０の前後進ｅ，ｆ方向の移動を妨げないように、ローダーシャーシ２０に対して前部側が下方ｉに降下した状態となっている。そして、ディスク７０が載置されたディスク載置用トレイ５０が装置内部に引き込まれてローダーシャーシ２０の開口部２１の適正位置までくると（図５（ｂ）の状態）、トラバースシャーシ３０の前部側が上方ｈに回動し、ターンテーブル８０とクランパ８１とによってディスク７０が回転可能に支持されるとともに、トラバースシャーシ３０に支持されている光ピックアップ６０が、回転可能に支持されたディスク７０の記録面に対峙するようになっている。そして、この状態のときに、ローダーシャーシ２０の開口部２１の縁部に形成された位置決め部材１０の突起部１２が、トラバースシャーシ３０の外縁部に形成された嵌合穴３１に挿入されることで、ローダーシャーシ２０に対するトラバースシャーシ３０のＸ軸方向及びＹ軸方向の位置規制が行われるようになっている。
【００２８】
すなわち、ディスクへの記録時や再生時には、ターンテーブル８０がスピンドルモータ９０によって高速回転することから、そのスピンドルモータ９０やターンテーブル８０などの振動等がトラバースシャーシ３０やローダーシャーシ２０に伝わることになる。そのため、この振動によって光ピックアップ６０がディスク７０表面のトラックから微妙にずれることを防止するため、位置決め部材１０の突起部１２をトラバースシャーシ３０の嵌合穴３１に挿入することで、ローダーシャーシ２０に対するトラバースシャーシ３０のＸ軸方向及びＹ軸方向の位置規制を行っている。
【００２９】
上記のような位置決め部材１０の形状において、図７及び図８に示す従来のディスク装置では、支持部１１０に、位置規制としての強度を保持するためのリブ片１３０が形成されているが、本実施形態では、このリブ片を工夫することによって、支持部１１に一定の撓み力（バネ性）を持たせた構造としたものである。すなわち、リブ片１３を必要最小限まで削減することで、樹脂自体が本来持っている弾力性（バネ性）を有効に作用させ、これにより、位置規制と柔軟性の両方を実現したものである。
【００３０】
図４では、従来技術での第１リブ片１３１と第２リブ片１３２とを全て削除し、第３リブ片１３３及び第４リブ片１３４については、その一部を残した形状としている。すなわち、従来技術での第３リブ片１３３の部分に肉厚部１３ａのみを残し、従来技術での第４リブ片１３４の位置に肉厚部１３ｂのみを残した形状としたものである。また、固定片１１ａ全体と支持片１１ｂの突起部１２の手前までの部分を、突起部１２を形成している部分より若干薄肉に形成している。このような形状とすることで、位置規制部材としての強度を保持しつつ、外部からの強い衝撃に対しては、樹脂自体が本来持っている弾力性（バネ性）を有効に作用させ、突起部１２が嵌合穴３１の側壁に衝突しても樹脂自体のバネ性により突起部１２の周辺部を含む支持部１１全体が変位することで、位置決め部材１０の破損、すなわち突起部１２の破損を防止することができる。
【００３１】
本発明者は、これを確認するために、次のような実験を行った。
【００３２】
すなわち、図６に示す３種類のリブ形状の位置決め部材を用意し、各支持部の固定片の外側の２辺Ａ，Ｂを支持固定した状態で、突起部１２に対して横方向に０．５ｍｍの瞬間的な強制変位を与える実験を行った。ただし、図５では、樹脂の変位状態を見易くするために、突起部１２については根元部分のみを示し、全体の図示を省略している。
【００３３】
同図（ａ）は、図８に示した従来のリブ構造の位置決め部材１００であり、同図（ｂ）は、同図（ａ）に示す従来の位置決め部材１００において、第１リブ片１３１を全て削除し、第２リブ片１３２と第３リブ片１３３と第４リブ片１３４については、その一部を残してほとんどを切除した形状とした位置決め部材１００ａであり、同図（ｃ）は、同図（ａ）に示す従来の位置決め部材１００において、第１リブ片１３１と第２リブ片１３２とを全て削除し、第３リブ片１３３及び第４リブ片１３４については、その一部のみを残して肉厚部１３ａ，１３ｂとした形状の図４に示す本願発明に係わる位置決め部材１０である。また、各図において、斜線を付した領域は、０．５ｍｍの強制変位を与えた結果、位置決め部材に許容量以上の負荷がかかった領域を示している。
【００３４】
同図（ａ）では、許容量を超える負荷が突起部１２の根元部分から第３リブ片１３３に至る広い範囲に加わっている。また、同図（ｂ）では、突起部１２の根元部分の狭い範囲と切除した第２リブ片１３２の周辺部分とに許容量を超える負荷が集中して加わっている。これに対し、同図（ｃ）では、このような負荷がかかっている領域はほとんど見られなかった。すなわち、同図（ｃ）では、０．５ｍｍの瞬間的な強制変位に対し、支持部１１や突起部１２が樹脂のバネ性によって応力が突起部１２の根元部分に集中することなく柔軟に変位したことが分かる。また、同図（ｃ）の形状とした場合でも、位置規制としての強度を保持していることを確認した。
【００３５】
上記したように、トラバースシャーシ３０の外周部とローダーシャーシ２０の開口部２１との隙間幅は、０．５ｍｍ程度に設定されている。つまり、ディスク装置に強い衝撃が加わることによって、トラバースシャーシ３０が大きくずれた（振動した）としても、トラバースシャーシ３０はローダーシャーシ２０の開口部２１の周縁部に当たることによってそれ以上変位しない。すなわち、変位量は最大でも、隙間幅の０．５ｍｍ程度である。従って、同図（ｃ）の形状とすることで、位置規制としての強度を保持しつつ、外部からの強い衝撃に対しても位置決め部材１０の破損、すなわち突起部１２の破損を防止することができる。
【図面の簡単な説明】
【００３６】
【図１】本発明のディスク装置に搭載されているシャーシ構造を示す概略平面図である。
【図２】図１に示すシャーシ構造の概略底面図である。
【図３】本発明に係わる位置決め部材の周辺部をローダーシャーシの底面側から見た図である。
【図４】本発明に係わる位置決め部材の斜視図である。
【図５】ディスク装置の概略断面図であり、（ａ）はディスク載置用トレイを装置本体から引き出した状態、（ｂ）はディスク載置用トレイを装置本体内に引き込んだ状態を示している。
【図６】各種リブ形状の位置決め部材に瞬間的な強制変位を与えたときの実験結果を示す説明図である。
【図７】従来の位置決め部材の周辺部をローダーシャーシの底面側から見た図である。
【図８】従来の位置決め部材の斜視図である。
【符号の説明】
【００３７】
１０  位置決め部材
１１  支持部
１１ａ  固定片
１１ｂ  支持片
１２  突起部
１３  リブ片
１３ａ，１３ｂ  肉厚部
２０  ローダーシャーシ
２１  開口部
２２  前フレーム
２３  縦フレーム
２５  摺動溝部
３０  トラバースシャーシ
３１  嵌合穴
３５  支持軸
４０  ダンパー
４１  連結部
４６  ダンパー
５０  ディスク載置用トレイ
６０  光ピックアップ
７０  ディスク
８０  ターンテーブル
９０  スピンドルモータ
【図１】
2008171464.tif 000003
【図２】
2008171464.tif 000004
【図３】
2008171464.tif 000005
【図４】
2008171464.tif 000006
【図５】
2008171464.tif 000007
【図６】
2008171464.tif 000008
【図７】
2008171464.tif 000009
【図８】
2008171464.tif 000010